(57)【要約】【課題】  キャリブレーションを毎回行ない、画像を読み取る手段と、前もって安定した状態のキャリブレーションデータをメモリにセーブしてこれを使用して毎回キャリブレーションを行わないで画像読取を行う手段を切り替えて選択できる画像読取装置において、冷陰極光源の不安定な点灯初期等にキャリブレーション無しモードを使用できなくする。【解決手段】  冷陰極ランプの光量が安定するまでピーク検知回路でチェックして、ある閾値になるまでキャリブレーションモードを禁止する。また、ある閾値以下のときはキャリブレーション有りモードを選択するように制御する。【選択図】  図４
2005318067.tif 000002
【特許請求の範囲】
【請求項１】
原稿を読み取る為の冷陰極光源と、光源を調光する手段と、光学系を副走査方向に駆動する駆動手段と、原稿を読み取った画像を、電気的な画像信号に変換する複数のイメージセンサと、該画像信号をデジタル信号に変換するＡ／Ｄ変換器と、前記デジタル変換された画像信号を外部装置に転送する手段と、前記デジタル変換された画像データのピーク値を読み取る手段と、キャリブレーションを読み取り毎に行う手段と、メモリー等に記録してあるキャリブレーションデータを使用して、キャリブレーションを毎回行わず画像読み取りを行う手段と、
前記毎回キャリブレーションを行う手段と、キャリブレーションを行わない手段を、切り替える手段を有する画像読取装置において、前記冷陰極光源が、光源点灯時の不安定状態では、前記キャリブレーションを毎回行わず画像読み取りを行う手段を、選択できないようにする事を特徴とする画像読取装置。
【請求項２】
前記請求項１の画像読取装置で、前記冷陰極光源が、安定したかどうかの判断手段を有し、安定していない場合は、前記毎回キャリブレーションを行い、安定したと判断した場合は、前記記録されたデータを使用して、キャリブレーションを行わず、画像読み取りを行う事を特徴とする画像読取装置。
【発明の詳細な説明】
【技術分野】
【０００１】
本発明は、原稿を固定して光学系を移動させ、読み取った画像を、電気的な画像信号に変換するイメージセンサにて読み取り、それをＡ／Ｄ変換器にてデジタル化した画像信号を外部装置に転送することが可能な画像読取装置に関するキャリブレーション処理に対する制御手段に関する。
【背景技術】
【０００２】
従来この種の原稿固定タイプの画像読取装置（以下スキャナと呼ぶ）において、前記キャリブレーションを画像読み取りの前に毎回行っている（特許文献１）。この、キャリブレーションとは、通常、白色基準板を読み取り、赤色、緑色、青色の色バランスを合わせ、赤、緑、青の各色の主走査方向の生データを取り、シェーディングひずみを補正する制御の事を総称する。通常、冷陰極光源を使用した画像読み取り装置は、読み取り開始前に、毎回キャリブレーションを行う。これは、使用している冷陰極光源の特性によるもので、特に点灯初期は、光量と波形が安定せず、点灯後、前記ピーク検出回路で、光量を検知して、光量と波形が安定するまで、待ってから、キャリブレーションを開始する。
【０００３】
特に、冬などの低温環境では、前記冷陰極光源の立ち上がり特性が悪く、目標の値になるまで時間が長くかかってしまう。
【０００４】
前記冷陰極光源は、十分暖まった状態では、光量と波形は、安定しているので、この状態の各キャリブレーションデータを記録していて、画像読み取り毎に、キャリブレーションを行わず、記録してあるキャリブレーションデータを使用して画像の読み取りを行う。
【０００５】
この２種類の方法を通常、読み取り開始時に選択できるようにしている。
【特許文献１】特開平６−２９１９４４号公報
【発明の開示】
【発明が解決しようとする課題】
【０００６】
上記のように、ユーザーが、読み取りモードを選択する場合、もし低温環境で点灯初期に、キャリブレーション無しを選択した場合、濃度が異常な画像や、Ｓ／Ｎの悪い画像を読み取ってしまうという問題点がある。
【課題を解決するための手段】
【０００７】
上記目的を達成するため、前記ピーク検出回路で、光量と波形が安定するまで、光量をチェックして、安定するまでの間、キャリブレーション無しを選択できなくするように制御する。または、安定するまでの間は、自動的に毎回キャリブレーションを行い、安定後は、記録してあるデータを使用して毎回キャリブレーションを行わないように制御する。
【０００８】
（作用）
この発明に於いては、冷陰極光源の点灯時の不安定な状況での画像読み取りを回避できるスキャナを提供が可能となる。
【発明の効果】
【０００９】
以上説明したように、本発明によれば、冷陰極光源の点灯時の不安定な状況での画像読み取りを回避できるスキャナを提供が可能となる。
【発明を実施するための最良の形態】
【００１０】
以下に図面を参照して本発明の実施例を詳細に説明する。
【００１１】
図１は本発明の一実施例の内部構成を示す。
【００１２】
本図において１は光学ユニットボックスで、２はイメージセンサ（以下ＣＣＤと呼ぶ）であり、３は反射光学ミラー、４は光源である冷陰極ランプ、５はレンズ、６は原稿等を原稿台に圧着させる圧板、７は原稿等を載せる原稿台ガラスから構成されている。１の光学ユニットボックスは、図示しないモータと図示しないベルトにより矢印方向に副走査方向に駆動され、画像読み取りを行う。
【００１３】
図２において、２０１はＣＣＤ、２０３は冷陰極ランプ調光回路、２０４はＣＣＤ出力を増幅するＡＭＰ、２０５はアナログ信号をデジタル信号に変換するＡ／Ｄ変換回路、２０６はシェーディング用画像データを貯えるシェーディングＲＡＭ、２０７は、シェーディングを行うシェーディング補正回路、２０８は主走査白基準の白ピークを検出するピーク検出回路、２０９は、ガンマ変換を行うガンマ変換回路、２１０は、ＣＣＤのオフセットを合わせるオフセットＲＡＭと通信バッファをかねるバッファＲＡＭ、２１１はバッファＲＡＭ制御および呼びパッキング制御回路、２１２は、インターフェース回路、２１３は、パーソナルコンピュータなどの外部装置、２１４はタイミング信号発生回路、２１５はスキャナを制御するＲＯＭ，ＲＡＭ内蔵のマイクロプロセッサである。
【００１４】
次に、実際の信号の流れを説明する。４の冷陰極ランプにより照射された原稿は反射ミラーとレンズ通過しＣＣＤに原稿像を投影する。投影された画像はＣＣＤによりアナログ信号に変換される。信号は、２０４の増幅器をとおり、２０５のＡ／Ｄ変換回路をとおりデジタル信号に変換される。デジタル信号は、シェーディング回路でシェーディング補正され、２０９のガンマ変換回路に入りガンマ変換される。２０８のピーク検知回路はシェーディングデータを取得時に主走査方向の白基準をピーク検知して、冷陰極ランプの光量値が安定したかどうかをＣＰＵ２１５で確認する。また変動に対して２０３の冷陰極ランプ調光回路でランプの調光を行い補正をかける。このとき、安定した状態のシェーディングデータをシェーディングＲＡＭ２０６で保存して、キャリブレーション無しモードが選択された場合、この保存されたデータを使用して、読み取り開始信号を、外部装置２１３より受けた場合、キャリブレーションをせず、前もって記録してあるシェーディングデータを使用して画像読み取りを行うよう制御する。ガンマ変換されたデータは、２１１のバッファ制御回路で２１０のバッファＲＡＭでオフセット調整され同じ位置に変換され、また２１２のインターフェース回路のバッファＲＡＭとしても動作する。インターフェース回路より外部装置に、画像データが送られる。
【００１５】
２１２のインターフェース回路は、外部装置のホストコンピュータの画像データを送信したり、ホストコンピュータの指示を受け付け、２１５のＣＰＵが命令を受信する。
【００１６】
２１５は例えばマイクロコンピュータ形態のＣＰＵであり、処理手順を格納したＲＯＭ２１５Ａ及び作業用のＲＡＭ２１５Ｂを有し、ＲＯＭに格納された手順にしたがって各部の制御を行う。
【００１７】
図３は、使用した冷陰極光源の特性図を示す。
【００１８】
次に、図４を用いて光量がある値までなるまでキャリブレーション無しモードを使用できなくするフローチャートの説明を行う。
Ｓ１は、外部装置２１３から読み取り開始信号を受信し読み取りを開始する。
Ｓ２は、冷陰極ランプ２０２を点灯する。
Ｓ３は、キャリブレーション有りモードかキャリブレーション無しモードか判断する。
Ｓ４は、冷陰極ランプの光量をピーク検知回路２０８で検知して光量値が安定値であるＡまで達したか判断する。
Ｓ５は、光量Ｂが安定値Ａまで達していないのでキャリブレーション無しモードを禁止する。
Ｓ６は、キャリブレーション無しモードを許可し、記録してあったシェーディングデータを使用して画像読み取りを開始する。
Ｓ７は、キャリブレーション有りモードでシェーディングデータを取得して画像読み取りを開始する。
【００１９】
次に図５を用いて光量があるＡ値までなるまで自動的にキャリブレーション有りモードを使用するように制御するフローチャートの説明を行う。
Ｓ１は、外部装置２１３から読み取り開始信号を受信し読み取りを開始する。
Ｓ２は、冷陰極ランプ２０２を点灯する。
Ｓ３は、冷陰極ランプの光量をピーク検知回路２０８で検知して光量値Ｂが安定値であるＡまで達したか判断する。
Ｓ４は、光量が安定値Ａまで達していないのでキャリブレーション無しモードを禁止してキャリブレーション有りモードとする。
Ｓ５は、キャリブレーション無しモードを許可し、記録してあったシェーディングデータを使用して画像読み取りを開始する。
【図面の簡単な説明】
【００２０】
【図１】本発明の機構構成を示す図である。
【図２】本発明実施例に係る画像読取装置の電気的構成の一例を示すブロック図である。
【図３】冷陰極光源の特性を示す図である。
【図４】処理動作を具体的に示すフローチャートである。
【図５】処理動作を具体的に示すフローチャートである。
【図１】
2005318067.tif 000003
【図２】
2005318067.tif 000004
【図３】
2005318067.tif 000005
【図４】
2005318067.tif 000006
【図５】
2005318067.tif 000007